(57)【要約】【課題】比較的広く開口部を形成し且つ不用意に収納物がこぼれ落ちることのない収納用ケースを提供する。【解決手段】この発明の収納用ケースは、袋状部１２が、主開口部２６に交差する一方の側縁部において、第１シート１４及び第２シート１６の底部２０に近い領域が直接連結された第１袋状側縁部２２ａと、主開口部に近い領域が前記主開口部に連続して開口するように第１シートと第２シートとが分離した拡開補助開口部２８とを有し、前記拡開補助開口部２８は、第１シートの拡開開口部の側縁部とそれに対向する第２シートの拡開開口部の側縁部とを連結するための拡開補助部５０が形成され、拡開補助部５０を第１シートと第２シートの内面の間に挟んだ状態において、前記主ファスナ部と協働させて、袋状部の開口領域を閉塞することができるように構成されている。【選択図】図１
2010018346.tif 000002
【特許請求の範囲】
【請求項１】
対向する第１シートと第２シートとが、左右両側縁部及び底部において連結され且つ一方に第１シートと第２シートとが分離した主開口部を形成された袋状部と、前記袋状部の主開口部に形成される主ファスナ部とを備え、
前記袋状部は、主開口部に交差する一方の側縁部において、第１シート及び第２シートの底部に近い領域が直接連結された第１袋状側縁部と、主開口部に近い領域が前記主開口部に連続して開口するように第１シートと第２シートとが分離した拡開補助開口部とを有し、
前記拡開補助開口部は、第１シートの拡開開口部の側縁部とそれに対向する第２シートの拡開開口部の側縁部とを連結するための拡開補助部が形成され、
拡開補助部を第１シートと第２シートの内面の間に挟んだ状態において、前記主ファスナ部と協働させて、袋状部の開口領域を閉塞することができるように構成された、収納用ケース。
【請求項２】
対向する第１シートと第２シートとが、左右両側縁部及び底部において連結され且つ一方に第１シートと第２シートとが分離した主開口部を形成された袋状部と、前記袋状部の主開口部に形成される主ファスナ部とを備え、
前記袋状部は、主開口部に交差する一方の側縁部において、第１シート及び第２シートの底部に近い領域が襠部材により連結された第１襠状側縁部と、主開口部に近い領域が前記主開口部に連続して開口するように第１シートと第２シートとが分離し且つ主ファスナ部も分離した拡開補助開口部とを有し、
前記拡開補助開口部は、第１シートの拡開開口部の側縁部及び主ファスナ部とそれに対向する第２シートの拡開開口部の側縁部及び主ファスナ部とを連結するための拡開補助部材により連結され且つ前記襠部材の主開口部側の端と前記拡開補助部材の底部側の端とが連結され、
前記襠部材は、第１シート及び第２シートの側縁部に沿ってのびる折曲部において袋状部の内側に向けて折り込まれ、且つ、前記拡開補助部材は、第１シート及び第２シートの側縁部に沿って、襠部材から主ファスナ部に至る長さを有する表側体及び裏側体を備え、前記襠部材の表側部及び裏側部と折曲部とに連続してのびるとともに連設辺において袋状部の内側に向けて折り込まれ、
前記拡開補助部材を第１シートと第２シートの内面の間に挟んだ状態において、前記主ファスナ部と協働させて、袋状部の開口領域を閉塞することができるように構成された、収納用ケース。
【請求項３】
前記袋状部は、主開口部に交差する一方の側縁部及び他方の側縁部において、第１シート及び第２シートの底部に近い領域が直接連結された第１袋状側縁部と、主開口部に近い領域が前記主開口部に連結して開口するように第１シートと第２シートとが分離した拡開補助開口部とを有し、
前記主ファスナ部は、スライダを一方の側縁部から他方の側縁部に移動させることによって開くことができ且つ他方の側縁部から一方の側縁部に移動させることによって閉じることができるとともに、スライダを他方の側縁部から一方の側縁部に移動させることによって開くことができ且つ一方の側縁部から他方の側縁部に移動させることによって閉じることができるように構成された、請求項１又は２に記載の収納用ケース。
【請求項４】
前記袋状部は、主開口部に交差する他方の側縁部において、第１シート及び第２シートの底部から主ファスナ部に至る領域が直接連結された第２袋状側縁部又は第２襠部材を有する、請求項１又は２に記載の収納用ケース。
【請求項５】
拡開補助部又は拡開補助部材は、表側体と裏側体とを折り畳み自在に連結され、折り畳んだ連結筋目を常時は内側に折り畳んでなる、請求項１ないし４のいずれかに記載の収納用ケース。
【請求項６】
拡開補助部又は拡開補助部材は、略三角形又は略四辺形の表側体と略三角形又は略四辺形の裏側体とを備え、前記表側体と裏側体とは連設辺で線対称になるように連結され、
表側体の側縁部の外側と第１シートの側縁部の外側とが連結され且つ裏側体の側縁部の外側と第２シートの側縁部の外側とが連結されるとともに、前記連設辺が第１シートと第２シートの内面の間に挟まれるように形成された、請求項１ないし５のいずれかに記載の収納用ケース。
【請求項７】
主ファスナ部は、主開口部ののびる方向に移動するスライダを備え、
拡開補助開口部は、前記スライダを移動したときに、閉じた主開口部を開き始める側縁部側に形成され、
主開口部と拡開補助開口部とは、一体的に開口するように形成された、請求項１ないし６のいずれかに記載の収納用ケース。
【請求項８】
拡開補助部又は拡開補助部材は、第１シート及び第２シートの拡開補助開口部において、その一方端縁が第１シートの内面に連結され且つその他方端縁が第２シートの内面に連結され、第１シートと第２シートの内面の間に挟まれるように形成された、請求項１ないし７のいずれかに記載の収納用ケース。
【発明の詳細な説明】
【技術分野】
【０００１】
この発明は、収納用ケースに関し、特に、たとえば開口部にファスナが設けられた袋状の収納用ケースに関する。
【背景技術】
【０００２】
従来、書類袋は、袋本体における開口側縁の両端間に側縁体を設け、該側縁体に開閉具を移動自由に設けて、袋本体の開閉を行うように構成していた。
ところが、前記側縁体の長さは、前記袋本体の開口部長さとほぼ同じ長さとして前記開口部に取付けているため、前記開閉具により袋本体を全開したとき、該開閉具が、側縁体の端部に位置して、前記袋本体における開口部の一端部を塞いで開口部の開口幅を小さくしてしまうことになる。
そこで、一側端を開口した袋本体と、該袋本体の開口部を開閉する開閉具と、前記開口一側端に隣接する側縁に連設した見出し具とから成る書類袋であって、前記見出し具の一端縁を、前記開口側縁上に位置させて、該開口側縁と、前記見出し具の一端縁とに、前記開閉具を案内するレールをもった側縁体を設けて、前記開閉具を、前記開口部の全開時前記見出し具の一端縁部に退避可能としたことを特徴とする発明が提案されている（特許文献１）。
しかしながら、前記発明にかかる書類袋は、全体の横幅が長くなり、一般的なサイズとは異なるために、一般的なサイズのものと一緒に収納ができないときがある。
そこで、底面部及び左右両側面部にまち部を有するとともにこの両側面まち部の上端開口部間にファスナーを設けたケース本体において、前記ファスナーの一端部は閉口状態にして固定子により固着し、ファスナーの他端部は開口状態のままで各端部に固定子固着して成り、前記ファスナーの開口状態に成る他端部に臨設する側面まち部に縦方向に形成する折込筋線を上端開口部近くの部分には形成せずに成るファスナーを設けられた収納用ケースが提案されている（特許文献２）。そして、この収納用ケースは、常に開口部を大きく開けて書類等をスムーズに出し入れをすることができるようになる。
【０００３】
【特許文献１】登録実用新案第３０５０２８７号公報
【特許文献２】実用新案登録第２５１６９１７号公報
【発明の開示】
【発明が解決しようとする課題】
【０００４】
この従来の特許文献２に記載の収納用ケースは、側面まち部に不用意な力が加わると、側縁まち部が外側に開いてしまう。そして、収納する品物は大小混在する場合があるため、側縁まち部が外側に不用意に開いた際、小さな品物はこぼれ落ちることがある。
一方、収納用ケースに物品を入れるときには、開放側をできるだけ広くして物品の出し入れを容易にしたいという要望がある。
それゆえに、この発明の主たる目的は、比較的広く開口部を形成し且つ不用意に収納物がこぼれ落ちることのない収納用ケースを提供することである。
【課題を解決するための手段】
【０００５】
この発明にかかる収納用ケースは、対向する第１シートと第２シートとが、左右両側縁部及び底部において連結され且つ一方に第１シートと第２シートとが分離した主開口部を形成された袋状部と、前記袋状部の主開口部に形成される主ファスナ部とを備え、前記袋状部は、主開口部に交差する一方の側縁部において、第１シート及び第２シートの底部に近い領域が直接連結された第１袋状側縁部と、主開口部に近い領域が前記主開口部に連続して開口するように第１シートと第２シートとが分離した拡開補助開口部とを有し、前記拡開補助開口部は、第１シートの拡開開口部の側縁部とそれに対向する第２シートの拡開開口部の側縁部とを連結するための拡開補助部が形成され、拡開補助部を第１シートと第２シートの内面の間に挟んだ状態において、前記主ファスナ部と協働させて、袋状部の開口領域を閉塞することができるように構成された、収納用ケースである。
この発明の請求項２にかかる収納用ケースは、対向する第１シートと第２シートとが、左右両側縁部及び底部において連結され且つ一方に第１シートと第２シートとが分離した主開口部を形成された袋状部と、前記袋状部の主開口部に形成される主ファスナ部とを備え、前記袋状部は、主開口部に交差する一方の側縁部において、第１シート及び第２シートの底部に近い領域が襠部材により連結された第１襠状側縁部と、主開口部に近い領域が前記主開口部に連続して開口するように第１シートと第２シートとが分離し且つ主ファスナ部も分離した拡開補助開口部とを有し、前記拡開補助開口部は、第１シートの拡開開口部の側縁部及び主ファスナ部とそれに対向する第２シートの拡開開口部の側縁部及び主ファスナ部とを連結するための拡開補助部材により連結され且つ前記襠部材の主開口部側の端と前記拡開補助部材の底部側の端とが連結され、前記襠部材は、第１シート及び第２シートの側縁部に沿ってのびる折曲部において袋状部の内側に向けて折り込まれ、且つ、前記拡開補助部材は、第１シート及び第２シートの側縁部に沿って、襠部材から主ファスナ部に至る長さを有する表側体及び裏側体を備え、前記襠部材の表側部及び裏側部と折曲部とに連続してのびるとともに連設辺において袋状部の内側に向けて折り込まれ、前記拡開補助部材を第１シートと第２シートの内面の間に挟んだ状態において、前記主ファスナ部と協働させて、袋状部の開口領域を閉塞することができるように構成された、収納用ケースである。
この発明の請求項３にかかる収納用ケースは、前記袋状部は、主開口部に交差する一方の側縁部及び他方の側縁部において、第１シート及び第２シートの底部に近い領域が直接連結された第１袋状側縁部と、主開口部に近い領域が前記主開口部に連結して開口するように第１シートと第２シートとが分離した拡開補助開口部とを有し、前記主ファスナ部は、スライダを一方の側縁部から他方の側縁部に移動させることによって開くことができ且つ他方の側縁部から一方の側縁部に移動させることによって閉じることができるとともに、スライダを他方の側縁部から一方の側縁部に移動させることによって開くことができ且つ一方の側縁部から他方の側縁部に移動させることによって閉じることができるように構成された、請求項１又は２に記載の収納用ケースである。
この発明の請求項４にかかる収納用ケースは、前記袋状部は、主開口部に交差する他方の側縁部において、第１シート及び第２シートの底部から主ファスナ部に至る領域が直接連結された第２袋状側縁部又は第２襠部材を有する、請求項１又は２に記載の収納用ケースである。
この発明の請求項５にかかる収納用ケースは、拡開補助部又は拡開補助部材は、表側体と裏側体とを折り畳み自在に連結され、折り畳んだ連結筋目を常時は内側に折り畳んでなる、請求項１ないし４のいずれかに記載の収納用ケースである。
この発明の請求項６にかかる収納用ケースは、拡開補助部又は拡開補助部材は、略三角形又は略四辺形の表側体と略三角形又は略四辺形の裏側体とを備え、前記表側体と裏側体とは連設辺で線対称になるように連結され、表側体の側縁部の外側と第１シートの側縁部の外側とが連結され且つ裏側体の側縁部の外側と第２シートの側縁部の外側とが連結されるとともに、前記連設辺が第１シートと第２シートの内面の間に挟まれるように形成された、請求項１ないし５のいずれかに記載の収納用ケースである。
この発明の請求項７にかかる収納用ケースは、主ファスナ部は、主開口部ののびる方向に移動するスライダを備え、拡開補助開口部は、前記スライダを移動したときに、閉じた主開口部を開き始める側縁部側に形成され、主開口部と拡開補助開口部とは、一体的に開口するように形成された、請求項１ないし６のいずれかに記載の収納用ケースである。
この発明の請求項８にかかる収納用ケースは、拡開補助部又は拡開補助部材は、第１シート及び第２シートの拡開補助開口部において、その一方端縁が第１シートの内面に連結され且つその他方端縁が第２シートの内面に連結され、第１シートと第２シートの内面の間に挟まれるように形成された、請求項１ないし７のいずれかに記載の収納用ケースである。
【発明の効果】
【０００６】
この発明にかかる収納用ケースは、対向する第１シートと第２シートとが、左右両側縁部及び底部において連結され且つ一方に第１シートと第２シートとが分離した主開口部を形成された袋状部と、前記袋状部の主開口部に形成される主ファスナ部とを備え、前記袋状部は、主開口部に交差する一方の側縁部において、第１シート及び第２シートの底部に近い領域が直接連結された第１袋状側縁部と、主開口部に近い領域が前記主開口部に連続して開口するように第１シートと第２シートとが分離した拡開補助開口部とを有するとともに、主開口部に交差する他方の側縁部において、第１シート及び第２シートの底部から主ファスナ部に至る領域が直接連結された第２袋状側縁部を有し、前記拡開補助開口部は、第１シートの拡開開口部の側縁部とそれに対向する第２シートの拡開開口部の側縁部とを連結するための拡開補助部が形成され、拡開補助部は、表側体と裏側体とを備え、拡開補助部を第１シートと第２シートの内面の間に挟んだ状態において、前記主ファスナ部と協働させて、袋状部の開口領域を閉塞することができるように構成されているので、開口部を比較的広くとり、物品の出し入れが容易となるとともに不用意に収納物がこぼれ落ちることがない。
更に、この発明にかかる収納用ケースは、対向する第１シートと第２シートとが、左右両側縁部及び底部において連結され且つ一方に第１シートと第２シートとが分離した主開口部を形成された袋状部と、前記袋状部の主開口部に形成される主ファスナ部とを備え、前記袋状部は、主開口部に交差する一方の側縁部において、第１シート及び第２シートの底部に近い領域が襠部材により連結された第１袋状側縁部と、主開口部に近い領域が前記主開口部に連続して開口するように第１シートと第２シートとが分離した拡開補助開口部とを有し、前記拡開補助開口部は、第１シートの拡開開口部の側縁部とそれに対向する第２シートの拡開開口部の側縁部とを連結するための拡開補助部材により連結され且つ前記襠部材の主開口部側の端と前記拡開補助部材の底部側の端とが連結され、拡開補助部材を第１シートと第２シートの内面の間に挟んだ状態において、前記主ファスナ部と協働させて、袋状部の開口領域を閉塞することができるように構成されているので、開口部を比較的広くとり、物品の出し入れが容易となるとともに不用意に収納物がこぼれ落ちることがない。
【０００７】
この発明の上述の目的、その他の目的、特徴および利点は、図面を参照して行う以下の発明を実施するための最良の形態の説明から一層明らかとなろう。
【発明を実施するための最良の形態】
【０００８】
図１は、この発明にかかる収納用ケースの開口部を開いた状態を示す斜視図解図であり、図２は、この発明の収納用ケースの一例を示す斜視図解図であり、図３は、図２に示す収納用ケースの断面図解図であり、図４は、図１に示す収納用ケースの分解斜視図であり、図５は、拡開補助部と第１シート及び第２シートとの連結構造を示す断面図解図である。
収納用ケース１０は、それぞれ平面長方形状の袋状部１２を含む。袋状部１２は、２枚の別体のシートすなわち第１シート１４と第２シート１６とによって形成される。
第１シート１４，第２シート１６は、たとえばポリプロピレンなどのポリオレフィン系合成樹脂シート又は樹脂の糸を編んだ布地によって形成される。第１シート１４及び第２シート１６は、長辺の長さが略同じで、第１シート１４の短辺１４ｂ，１４ｃと第２シート１６の短辺１６ｂ，１６ｃとの長さが略同じ長方形となるように形成される。  
そして、第１シート１４，第２シート１６の一方の長辺１４ｄ，１６ｄおよび２つの短辺１４ｂ，１４ｃ，１６ｂ，１６ｃが重ね合わされる。
第２シート１６の他方の長辺側は、第１シート１４の一方の長辺１４ａと第２シート１６の他方の長辺１６ａとが対向するように配置される。
それにより、これらの第１シート１４の長辺１４ａと第２シート１６の他方の長辺１６ａとの間に、主開口部２６が形成される。
【０００９】
第１シート１４の長辺１４ａと、第２シート１６の長辺１６ａとが対向する主開口部２６には、主ファスナ部３０が取り付けられる。
主ファスナ部３０は、シートへの取り付け部３２ａ，３２ｂと、取り付け部３２ａ，３２ｂに連設された開閉部３２ｃとで構成される。開閉部３２ｃは、たとえば咬み合わされることにより閉状態となる複数の咬合片３４と、咬合片３４上をスライドして咬合片３４を開閉させるためのスライダ４０とで構成される。
これらの取り付け部３２ａ，３２ｂおよび咬合片３４、スライダ４０などは、ポリプロピレンなどの合成樹脂で形成される。なお、取り付け部３２ａ，３２ｂが合成樹脂で形成されていれば、咬合片３４やスライダ４０は金属などの材料で形成されていてもよい。
そして、主ファスナ部３０を構成する第１嵌合開閉部３４ａに連設された取り付け部３２ａが、第１シート１４の長辺１４ａに沿って溶着され、且つ主ファスナ部３０を構成する第２嵌合開閉部３４ｂに連設された取り付け部３２ｂが、第２シート１６の長辺１６ａに沿って溶着されるとともに、主ファスナ部３０の長手方向の右端部が第１シート１４と第２シート１６との重ね合わせ部分に溶着され、溶着部１２ａ，１２ａ及び溶着部１２ｃが形成され、第１シート１４と第２シート１６とが対向する面側に収容空間を構成している。
取り付け部３２ａと取り付け部３２ｂとは、その右端近傍において、スポット溶着されたストッパ３６ａにより両者が固着されている。
【００１０】
そして、第１シート１４の一方の長辺１４ｄと第２シート１６の他方の長辺１６ｄ並びに第１シート１４の左側の短辺１４ｂの一部分と第２シート１６の左側の短辺１６ｂの一部分と及び第１シート１４の右側の短辺１４ｃ全体と第２シート１６の右側の短辺１６ｃ全体とに沿って溶着されて、袋状部１２の底部２０，左側縁部２２及び右側縁部２４を形成される。
したがって、袋状部１２の主ファスナ部３０に対向する位置にある長辺に溶着部１２ａが形成され、主ファスナ部３０の長手方向の両端側における短辺にそれぞれ溶着部１２ｂ，１２ｃが形成され、主ファスナ部３０とは反対側における長辺に溶着部１２ｄが形成される。
そして、主開口部２６ののびる方向に移動するスライダ４０をスライド移動させることにより、袋状部１２の主開口部２６が開閉する。
【００１１】
前記袋状部１２は、主開口部２６に交差する一方の側縁部である左側縁部２２を構成する第１シート１４の左側の短辺１４ｂ及び第２シート１６の左側の短辺１６ｂにおいて、底部２０に近い領域が溶着部１２ｂにより連結された第１袋状側縁部２２ａと、主開口部２６に近い領域が前記主開口部２６に連続して拡開するように第１シート１４と第２シート１６とが別体のまま分離した拡開補助開口部２８とを有する。
【００１２】
前記袋状部１２は、主開口部２６に交差する一方の側縁部（この実施の形態においては、左側縁部）において、第１シート１４及び第２シート１６の底部２０に近い領域において第１シート１４と第２シート１６とが直接連結された第１袋状側縁部２２ａと、主開口部２６に近い領域が前記主開口部２６に連続して拡開するように第１シート１４と第２シート１６とが分離し且つ主ファスナ部３０も分離した拡開補助開口部２８とを有するとともに、主開口部２６に交差する他方の側縁部において、第１シート１４及び第２シート１６の底部２０から主ファスナ部３０に至る領域において第１シート１４と第２シート１６とが直接連結された第２袋状側縁部を構成する右側縁部２４を有する。
【００１３】
前記拡開補助開口部２８は、第１シート１４の左側縁部２２とそれに対向する第２シート１６の左側縁部２２とを連結するための拡開補助部５０が形成され、拡開補助部５０を第１シート１４と第２シート１６との間に挟んだ状態にするとともに、主ファスナ部３０と協働させて袋状部１２の開口領域を閉塞することができるように構成されている。
主ファスナ部３０は、主開口部２６ののびる方向にのび、主開口部２６ののびる方向に移動するスライダ４０により、開閉させられるが、拡開補助開口部２８は、閉じられた主開口部２６を開くためにスライダ４０を移動するときに開き始める開始端である左側縁部２２側に形成され、主開口部２６と拡開補助開口部２８とは、一体的に開口するように形成されている。
拡開補助部５０は、第１シート１４及び第２シート１６の拡開補助開口部２８に、連結して形成されている。
【００１４】
この実施の形態においては、拡開補助開口部２８を開閉するための拡開補助部５０は、第１シート１４の左側縁部２２の近傍に付着された表側体５２と第２シート１６の左側縁部２２の近傍に付着された裏側体５４とから構成されている。
表側体５２は、第１シート１４及び第２シート１６と同質の弾力性を有する合成樹脂シートで形成されており、裏側体５４は、第１シート１４及び第２シート１６と同質の弾力性を有する合成樹脂で形成されている。
拡開補助部５０を構成する表側体５２と裏側体５４とは、正面視略三角形であり、前記表側体５２の連設辺５２ａと裏側体の連設辺５４ａで線対称になるように連設されている。
そして、表側体５２の側縁部５２ｂの外側と第１シート１４の側縁部たる短辺１４ｂの外側とが連結され且つ裏側体５４の側縁部５４ｂの外側と第２シート１６の側縁部たる短辺１６ｂの外側とが溶着して連結されるとともに、前記連続した連設辺５２ａと連設辺５４ａとが左側から見て谷折りに折り曲げられて、第１シート１４と第２シート１６の内面の間に挟まれるように形成されている。
拡開補助部５０は、表側体５２と裏側体５４とを備え、拡開補助部５０を第１シート１４と第２シート１６の内面の間に挟んだ状態において、前記主ファスナ部３０と協働させて、袋状部１２の開口領域を閉塞することができるように構成されている。
【００１５】
この実施の形態においては、拡開補助部５０は、第１シート１４及び第２シート１６の拡開補助開口部２８において、その一方端縁が第１シート１４の内面に連結され且つその他方端縁が第２シート１６の内面に連結され、表側体５２と裏側体５４とは、表側体５２の外表と裏側体５４の外表とを外側になるように且つ表側体５２の内側端縁たる連設辺５２ａと裏側体５４の内側端縁たる連設辺５４ａとが連設されている。
表側体５２の上縁部５２ｃ及び裏側体５４の上縁部５４ｃは、側縁部５２ｂから連設辺５２ａ及び側縁部５４ｂから連設辺５４ａに至るに従って、上方にあがる傾斜縁に形成されている。
そして、拡開補助部５０は、表側体５２と裏側体５４とを折り畳み自在に連結され、折り畳んだ連結筋目たる連設辺５２ａ及び５４ａを常時は内側に折り畳まれている。
表側体５２の上縁部５２ｃ及び裏側体５４の上縁部５４ｃが、左側縁部２２から右側縁部２４に至るに従って下方に下がっているので、スライダ４０を左側縁部２２側に近い位置まで移動させて、主ファスナ部３０を完全に閉じることができるように、構成されている。
【００１６】
この収納用ケース１０では、袋状部１２を構成する第１シート１４，第２シート１６として、ポリオレフィン系樹脂の糸を編んだ布地を使用すれば、高級感を有し、手触りの良好なものである。しかも、超音波溶着により袋状部１２が形成されるとともに、主ファスナ部３０が取り付けられるため、糸を編んで形成された布地を使用しているにもかかわらず縫製が不要であり、収納用ケース１０の製造が容易である。また、ポリオレフィン系樹脂としてのポリプロピレンなどは、製造時に原料に顔料を練り込んで着色するため、長期間使用しても退色しにくい収納用ケース１０を得ることができる。さらに、ポリプロピレンは、ナイロンやポリエステルなどに比べて比重が軽いため、軽量の収納用ケース１０とすることができる。また、ポリオレフィン系の材料は、焼却しても、ダイオキシンなどが発生せず、環境破壊の恐れも少ない。
【００１７】
なお、収納用ケース１０としては、第１シート１４と第２シート１６とが異なる色のものであってもよい。この場合、第１シート１４および第２シート１６の一方が、透明なシートであってもよい。さらに、製造時において、第１シート１４あるいは第２シート１６の一方が２色以上に形成されたものを用いれば、袋状部１２の一方の面が２色以上の収納用ケース１０を得ることができる。この場合、第１シート１４あるいは第２シート１６として、複数の色のシートを超音波溶着したものを用いることができる。さらに、第１シート１４および第２シート１６の両方について、２色以上のものを使用してもよい。この場合、第１シート１４および第２シート１６の両方について、複数の色のシートを超音波溶着したシートを使用すればよい。このような第１シート１４および第２シート１６を用いれば、袋状部１２の両面が２色以上の収納用ケース１０を得ることができる。
また、第１シート１４及び第２シート１６並びに拡開補助部５０は、前記した例に限らず、布、皮革等をもって構成してもよい。
【００１８】
なお、袋状部１２の形状は平面長方形状に限らず、任意の形状に形成することができる。また、主ファスナ部３０の位置についても、図１における収納用ケース１０の第２シート１６の折り曲げ部に相当する位置に取り付けられてもよく、その取り付け位置は任意に変更可能である。
【００１９】
前記実施の形態においては、図５において示すように、表側体５２と裏側体５４とは、表側体５２の外表と裏側体５４の外表とを外側になるように且つ表側体５２の側縁部５２ｂである外側端縁と第１シート１４の側縁部たる短辺１４ｂと及び裏側体５４の側縁部５４ｂである外側端縁と第２シート１６の側縁部たる短辺１６ｂとを合うように、表側体５２の外側端縁近傍と第１シート１４の側縁部近傍と及び裏側体５４の外側端縁近傍と第２シート１６の側縁部近傍とが重ね合わされて接着されているが、図６に示すように、表側体５２の側縁部５２ｂと第１シート１４の側縁部と及び裏側体５４の側縁部５４ｂと第２シート１６の側縁部とが連設され、第１シート１４と表側体５２とが側縁部５２ｂにおいて折り曲げられ且つ第２シート１６と裏側体５４とが側縁部５４ｂにおいて折り曲げられて、表側体５２及び裏側体５４が第１シート１４と第２シート１６との間に挟まれるように構成されてもよい。
また、前記実施の形態においては、表側体５２の連設辺５２ａと裏側体５４の連設辺５４ａとが連設されているが、図６に示すように、表側体５２の連設辺５２ａと裏側体５４の連設辺５４ａとが分離されており、表側体５２の外表と裏側体５４の外表とを外側になるように且つ表側体５２の連設辺５２ａと裏側体５４の連設辺５４ａとを合うように、表側体５２の連設辺５２ａ近傍と裏側体５４の連設辺５４ａ近傍とが重ね合わされて接着されてもよい。
また、図７において示すように、表側体５２と裏側体５４とが独立した片で構成され、第１シート１４の短辺１４ｂと表側体５２の側縁部５２ｂとが溶着して連結され且つ第２シート１６の短辺１６ｂと裏側体５４の側縁部５４ｂとが溶着して連結されるとともに、表側体５２の連設辺５２ａと裏側体５４の連設辺５４ａとが溶着して連結されてもよい。この場合も、表側体５２と裏側体５４とは、表側体５２の外表と裏側体５４の外表とを外側になるように且つ表側体５２の側縁部５２ｂである外側端縁と第１シート１４の側縁部たる短辺１４ｂと及び裏側体５４の側縁部５４ｂである外側端縁と第２シート１６の側縁部たる短辺１６ｂとを合うように、表側体５２の外側端縁近傍と第１シート１４の側縁部近傍と及び裏側体５４の外側端縁近傍と第２シート１６の側縁部近傍とが重ね合わされて接着されるとともに、表側体５２の外表と裏側体５４の外表とを外側になるように且つ表側体５２の連設辺５２ａと裏側体５４の連設辺５４ａとを合うように、表側体５２の連設辺５２ａ近傍と裏側体５４の連設辺５４ａ近傍とが重ね合わされて接着される。
また、第１シート１４と表側体５２の側縁部５２ｂ及び第２シート１６と裏側体５４の側縁部５４ｂ並びに表側体５２の連設辺５２ａ及び裏側体５４の連設辺５４ａとを、図８に示すように、分離せずに連設したものとしてもよい。
【００２０】
その他、拡開補助部１５０は、その形状を種々変更することができ、三角形ではなく、図９に示すように連設辺が略円形状であったり、図１０及び１１に示すように連設辺が略くの字形状であったりしてもよい。
図９図示拡開補助部１５０は、前記表側体１５２と裏側体１５４とは略円形状の連設辺１５２ａ，１５４ａで線対称になるように連結され、表側体１５２の側縁部１５２ｂの外側と第１シート１１４の側縁部たる短辺１１４ｂの外側とが連結され且つ裏側体１５４の側縁部１５４ｂの外側と第２シート１１６の側縁部たる短辺１１６ｂの外側とが連結されるとともに、前記連設辺１５２ａ，１５４ａが第１シート１１４と第２シート１１６の内面の間に挟まれるように形成されている。
図１０図示拡開補助部２５０は、前記表側体２５２と裏側体２５４とは略くの字状の連設辺２５２ａ，２５４ａで線対称になるように連結され、表側体２５２の側縁部２５２ｂの外側と第１シート２１４の側縁部たる短辺２１４ｂの外側とが連結され且つ裏側体２５４の側縁部２５４ｂの外側と第２シート２１６の側縁部たる短辺２１６ｂの外側とが連結されるとともに、前記連設辺２５２ａ，２５４ａが第１シート２１４と第２シート２１６の内面の間に挟まれるように形成されている。
図１１図示拡開補助部３５０は、前記表側体３５２と裏側体３５４とは連設辺３５２ａ，３５４ａで線対称になるように連結され、表側体３５２の側縁部３５２ｂの外側と第１シート３１４の側縁部たる短辺３１４ｂの外側とが連結され且つ裏側体３５４の側縁部３５４ｂの外側と第２シート３１６の側縁部たる短辺３１６ｂの外側とが連結されるとともに、前記連設辺３５２ａ，３５４ａが第１シート３１４と第２シート３１６の内面の間に挟まれるように形成されている。
【００２１】
図１２は、この発明にかかる収納用ケースの開口部を開いた状態を示す斜視図解図であり、図１３は、この発明の収納用ケースの一例を示す斜視図解図であり、図１４は、図１３に示す収納用ケースの断面図解図であり、図１５は、図１２に示す収納用ケースの分解斜視図であり、図１６は、拡開補助部第１シート及び第２シートとの連結構造を示す断面図解図である。
収納用ケース４１０は、平面長方形状の袋状部４１２を含む。袋状部４１２は、２枚の別体のシートすなわち第１シート４１４と第２シート４１６とによって形成される。
第１シート４１４，第２シート４１６は、たとえばポリプロピレンなどのポリオレフィン系合成樹脂シート又は樹脂の糸を編んだ布地によって形成される。第１シート４１４，第２シート４１６は、長辺の長さが同じで、第１シート１４の短辺４１４ｂ，４１４ｃと第２シート４１６の短辺４１６ｂ，４１６ｃとの長さが異なる長方形となるように形成される。
ここで、一方の第１シート４１４の短辺４１４ｂ，４１４ｃが、他方の第２シート４１６の短辺４１６ｂ，４１６ｃより短く形成される。
そして、第１シート４１４，第２シート４１６の一方の長辺４１４ｄ，４１６ｄおよび２つの短辺４１４ｂ，４１４ｃ，４１６ｂ，４１６ｃが重ね合わされる。
第２シート４１６の他方の長辺側４１６ａは、第１シート４１４に向かって折り返され、第１シート４１４の一方の長辺４１４ａと第２シート４１６の他方の長辺４１６ａとが対向するように配置される。
それにより、これらの第１シート４１４の長辺４１４ａと第２シート４１６の他方の長辺４１６ａとの間に、主開口部４２６が形成される。
【００２２】
第１シート４１４の長辺４１４ａと、第２シート４１６の長辺４１６ａとが対向する主開口部４２６には、主ファスナ部４３０が取り付けられる。
主ファスナ部４３０は、シートへの取り付け部４３２ａ，４３２ｂと、取り付け部４３２ａ，４３２ｂの間の開閉部４３２ｃとで構成される。開閉部４３２ｃは、たとえば咬み合わされることにより閉状態となる複数の咬合片４３４と、咬合片４３４上をスライドして咬合片４３４を開閉させるためのスライダ４４０Ａ及びスライダ４４０Ｂとで構成される。
一方のスライダ４４０Ａは、咬合片４３４上を一方側から他方側にスライドすることにより、咬合片４３４を開くことができ、他方のスライダ４４０Ｂは、咬合片４３４上を他方側から一方側にスライドすることにより、咬合片４３４を開くことができる。
これらの取り付け部４３２ａ，４３２ｂおよび咬合片４３４、スライダ４４０などは、ポリプロピレンなどの合成樹脂で形成される。なお、取り付け部４３２ａ，４３２ｂが合成樹脂で形成されていれば、咬合片４３４やスライダ４４０は金属などの材料で形成されていてもよい。
そして、主ファスナ部４３０の取り付け部４３２ａ，４３２ｂが、第１シート４１４の長辺４１４ａと、第２シート４１６の長辺４１６ａに沿って溶着されるとともに、主ファスナ部４３０の長手方向の右端部が第１シート４１４と第２シート４１６との重ね合わせ部分に溶着され、溶着部４１２ａ，４１２ａが形成され、第１シート４１４と第２シート４１６とが対向する面側に収容空間を構成している。
【００２３】
そして、第１シート４１４の一方の長辺４１４ｄと第２シート４１６の他方の長辺４１６ｄ並びに第１シート４１４の左側の短辺４１４ｂの一部分と第２シート４１６の左側の短辺４１６ｂの一部分と及び第１シート４１４の右側の短辺４１４ｃ全体と第２シート４１６の右側の短辺４１６ｃ全体とに沿って溶着されて、袋状部４１２の底部４２０，左側縁部４２２及び右側縁部４２４を形成される。
したがって、袋状部４１２の主ファスナ部４３０に対向する位置にある長辺に溶着部４１２ａが形成され、主ファスナ部４３０の長手方向の両端側における短辺にそれぞれ溶着部４１２ｂ，４１２ｃが形成され、主ファスナ部４３０とは反対側における長辺に溶着部４１２ｄが形成される。
そして、主開口部４２６ののびる方向に移動するスライダ４４０Ａ及びスライダ４４０Ｂをスライド移動させることにより、袋状部４１２の主開口部４２６が開閉する。
【００２４】
前記袋状部４１２は、主開口部４２６に交差する一方の側縁部である左側縁部４２２を構成する第１シート４１４の左側の短辺４１４ｂ及び第２シート４１６の左側の短辺４１６ｂにおいて、底部４２０に近い領域が溶着部４１２ｂにより連結された第１袋状側縁部４２２ａと、主開口部４２６に近い領域が前記主開口部４２６に連続して拡開するように第１シート４１４と第２シート４１６とが別体のまま分離した第１拡開補助開口部４２８Ａとを有する。
【００２５】
前記袋状部４１２は、主開口部４２６に交差する他方の側縁部である右側縁部４２４を構成する第１シート４１４の右側の短辺４１４ｃ及び第２シート４１６の右側の短辺４１６ｃにおいて、底部４２０に近い領域が溶着部４１２ｃにより連結された第２袋状側縁部４２４ａと、主開口部４２６に近い領域が前記主開口部４２６に連続して拡開するように第１シート４１４と第２シート４１６とが別体のまま分離した第２拡開補助開口部４２８Ｂとを有する。
【００２６】
前記袋状部４１２は、主開口部４２６に交差する一方の側縁部において、第１シート４１４及び第２シート４１６の底部４２０に近い領域において第１シート４１４と第２シート４１６とが直接連結された第１袋状側縁部４２２ａと、主開口部４２６に近い領域が前記主開口部４２６に連続して拡開するように第１シート４１４と第２シート４１６とが分離した第１拡開補助開口部４２８Ａとを有する。
【００２７】
前記袋状部４１２は、主開口部４２６に交差する他方の側縁部において、第１シート４１４及び第２シート４１６の底部４２０に近い領域において第１シート４１４と第２シート４１６とが直接連結された第２袋状側縁部４２４ａと、主開口部４２６に近い領域が前記主開口部４２６に連続して拡開するように第１シート４１４と第２シート４１６とが分離した第２拡開補助開口部４２８Ｂとを有する。
【００２８】
前記第１拡開補助開口部４２８Ａは、第１シート４１４の短辺４１４ｂとそれに対向する第２シート４１６の短辺４１６ｂとを連結するための第１拡開補助部４５０Ａが形成され、第１拡開補助部４５０Ａを第１シート４１４と第２シート４１６との間に挟んだ状態にするとともに、主ファスナ部４３０と協働させて袋状部４１２の開口領域を閉塞することができるように構成されている。
主ファスナ部４３０は、主開口部４２６ののびる方向にのび、主開口部４２６ののびる方向に移動する第１スライダ４４０Ａにより、開閉させられるが、第１拡開補助開口部４２８Ａは、閉じられた主開口部４２６を開くために第１スライダ４４０Ａを一方の左側縁部４２２側から他方の右側縁部４２４側に向けて移動するときに開き始める開始端である左側縁部４２２側に形成され、主開口部４２６と第１拡開補助開口部４２８Ａとは、一体的に開口するように形成されている。
第１拡開補助部４５０Ａは、第１シート４１４及び第２シート４１６の第１拡開補助開口部４２８Ａに、連結して形成されている。
【００２９】
前記第２拡開補助開口部４２８Ｂは、第１シート４１４の短辺４１４ｃとそれに対向する第２シート４１６の短辺４１６ｃとを連結するための第２拡開補助部４５０Ｂが形成され、第２拡開補助部４５０Ｂを第１シート４１４と第２シート４１６との間に挟んだ状態にするとともに、主ファスナ部４３０と協働させて袋状部４１２の開口領域を閉塞することができるように構成されている。
主ファスナ部４３０は、主開口部４２６ののびる方向にのび、主開口部４２６ののびる方向に移動する第２スライダ４４０Ｂにより、開閉させられるが、第２拡開補助開口部４２８Ｂは、閉じられた主開口部４２６を開くために第２スライダ４４０Ｂを移動するときに開き始める開始端である右側縁部４２４側に形成され、主開口部４２６と第２拡開補助開口部４２８Ｂとは、一体的に開口するように形成されている。
第２拡開補助部４５０Ｂは、第１シート４１４及び第２シート４１６の第２拡開補助開口部４２８Ｂに、連結して形成されている。
【００３０】
この実施の形態においては、第１拡開補助開口部４２８Ａを開閉するための第１拡開補助部４５０Ａは、第１シート４１４の短辺４１４ｂの近傍に付着された第１表側体４５２Ａと第２シート４１６の短辺４１６ｂの近傍に付着された第１裏側体４５４Ａとから構成されている。
第１表側体４５２Ａは、第１シート４１４及び第２シート４１６と同質の弾力性を有する合成樹脂シートで形成されており、第１裏側体４５４Ａは、第１シート４１４及び第２シート４１６と同質の弾力性を有する合成樹脂で形成されている。
第１拡開補助部４５０Ａを構成する第１表側体４５２Ａと第１裏側体４５４Ａとは、正面視略三角形であり、前記第１表側体４５２Ａの連設辺４５２ａと第１裏側体４５４Ａの連設辺４５４ａで線対称になるように連結されている。
そして、第１表側体４５２Ａの側縁部４５２ｂの外側と第１シート４１４の側縁部たる短辺４１４ｂの外側とが連結され且つ第１裏側体４５４Ａの側縁部４５４ｂの外側と第２シート４１６の側縁部たる短辺４１６ｂの外側とが連結されるとともに、前記連設辺４５２ａ，４５４ａが第１シート４１４と第２シート４１６の内面の間に挟まれるように形成されている。
第１拡開補助部４５０Ａは、第１表側体４５２Ａと第１裏側体４５４Ａとを備え、第１拡開補助部４５０Ａを第１シート４１４と第２シート４１６の内面の間に挟んだ状態において、前記主ファスナ部４３０と協働させて、袋状部４１２の開口領域を閉塞することができるように構成されている。
【００３１】
また、この実施の形態においては、第２拡開補助開口部４２８Ｂを開閉するための第２拡開補助部４５０Ｂは、第１シート４１４の短辺４１４ｃの近傍に付着された第２表側体４５２Ｂと第２シート４１６の短辺４１６ｃの近傍に付着された第２裏側体４５４Ｂとから構成されている。
第２表側体４５２Ｂは、第１シート４１４及び第２シート４１６と同質の弾力性を有する合成樹脂シートで形成されており、第２裏側体４５４Ｂは、第１シート４１４及び第２シート４１６と同質の弾力性を有する合成樹脂で形成されている。
第２拡開補助部４５０Ｂを構成する第２表側体４５２Ｂと第２裏側体４５４Ｂとは、正面視略三角形であり、前記第２表側体４５２Ｂの連設辺４５６ａと第２裏側体４５４Ｂの連設辺４５８ａで線対称になるように連結されている。
そして、第２表側体４５２Ｂの側縁部４５６ｂの外側と第１シート４１４の側縁部たる短辺４１４ｃの外側とが連結され且つ第２裏側体４５４Ｂの側縁部４５８ｂの外側と第２シート４１６の側縁部たる短辺４１６ｃの外側とが連結されるとともに、前記連設辺４５６ａ，４５８ａが第１シート４１４と第２シート４１６の内面の間に挟まれるように形成されている。
第２拡開補助部４５０Ｂは、第２表側体４５２Ｂと第２裏側体４５４Ｂとを備え、第２拡開補助部４５０Ｂを第１シート４１４と第２シート４１６の内面の間に挟んだ状態において、前記主ファスナ部４３０と協働させて、袋状部４１２の開口領域を閉塞することができるように構成されている。
【００３２】
この実施の形態においては、第１拡開補助部４５０Ａは、第１シート４１４及び第２シート４１６の第１拡開補助開口部４２８Ａにおいて、その一方端縁が第１シート４１４の内面に連結され且つその他方端縁が第２シート４１６の内面に連結され、第１表側体４５２Ａと第１裏側体４５４Ａとは、第１表側体４５２Ａの外表と第１裏側体４５４Ａの外表とを外側になるように且つ第１表側体４５２Ａの内側端縁たる連設辺４５２ａと第１裏側体４５４Ａの内側端縁たる連設辺４５４ａとを合うように、前記内側端縁の連設辺４５２ａ及び４５４ａの近傍が重ね合わされて、接着されている。
第１表側体４５２Ａの上縁部４５２ｃ及び第１裏側体４５４Ａの上縁部４５４ｃは、側縁部４５２ｂから連設辺４５２ａ及び側縁部４５４ｂから連設辺４５４ａに至るに従って、上方にあがる傾斜縁に形成されている。
そして、第１拡開補助部４５０Ａは、第１表側体４５２Ａと第１裏側体４５４Ａとを折り畳み自在に連結され、折り畳んだ連結筋目たる連設辺４５２ａ及び４５４ａを常時は内側に折り畳まれている。
第１表側体４５２Ａの上縁部４５２ｃ及び第１裏側体４５４Ａの上縁部４５４ｃが、左側縁部４２２から右側縁部４２４に至るに従って下方に下がっているので、第１スライダ４４０Ａを左側縁部４２２側に近い位置まで移動させて、主ファスナ部４３０を完全に閉じることができるように、構成されている。
【００３３】
この実施の形態においては、第２拡開補助部４５０Ｂは、第１シート４１４及び第２シート４１６の第２拡開補助開口部４２８Ｂにおいて、その一方端縁が第１シート４１４の内面に連結され且つその他方端縁が第２シート４１６の内面に連結され、第２表側体４５２Ｂと第２裏側体４５４Ｂとは、第２表側体４５２Ｂの外表と第２裏側体４５４Ｂの外表とを外側になるように且つ第２表側体４５２Ｂの内側端縁たる連設辺４５６ａと第２裏側体４５４Ｂの内側端縁たる連設辺４５８ａとを合うように、前記内側端縁の連設辺４５６ａ及び４５８ａの近傍が重ね合わされて、接着されている。
第２表側体４５２Ｂの上縁部４５６ｃ及び第２裏側体４５４Ｂの上縁部４５８ｃは、側縁部４５６ｂから連設辺４５６ａ及び側縁部４５８ｂから連設辺４５８ａに至るに従って、上方にあがる傾斜縁に形成されている。
そして、第２拡開補助部４５０Ｂは、第２表側体４５２Ｂと第２裏側体４５４Ｂとを折り畳み自在に連結され、折り畳んだ連結筋目たる連設辺４５６ａ及び４５８ａを常時は内側に折り畳まれている。
第２表側体４５２Ｂの上縁部４５６ｃ及び第２裏側体４５４Ｂの上縁部４５８ｃが、左側縁部４２２から右側縁部４２４に至るに従って下方に下がっているので、第２スライダ４４０Ｂを右側縁部４２４側に近い位置まで移動させて、主ファスナ部４３０を完全に閉じることができるように、構成されている。
【００３４】
また、拡開補助部５０は、図１７ないし図２２図示実施の形態のように変更してもよい。
図１７ないし図２２図示実施の形態の収納用ケースは、図１図示収納用ケースと比して、主として拡開補助部が変更されている。従って、以下拡開補助部を中心に説明する。なお、以下の説明においては、図１図示収納用ケースと略々同じ構成については、同じ符号を付し、説明を省略又は簡略にしている。
【００３５】
この実施の形態の拡開補助部５５０は、表側体５５２の上縁部５５２ｃ及び裏側体５５４の上縁部５５４ｃが、連設辺５５２ａ及び５５４ａに近い領域の第１上縁部５５２ｃ１及び第１上縁部５５４ｃ１を、側縁部５５２ｂ及び５５４ｂに近い領域の第２上縁部５５２ｃ２及び第２上縁部５５４ｃ２と比して、下方に下がった直線状に形成している。
而して、一方の上縁部５５２ｃの連設辺５５２ａに近い領域の第１上縁部５５２ｃ１は、表側体５５２を構成する第１シート１４側の取り付け部３２ａの第１嵌合開閉部３４ａの下端より少し下がった位置に位置し、第２上縁部５５２ｃ２は、第１嵌合開閉部３４ａの上端近傍に位置するように、構成されている。
また、他方の上縁部５５４ｃの連設辺５５４ａに近い領域の第１上縁部５５４ｃ１は、裏側体５５４を構成する第２シート１６側の取り付け部３２ｂの第２嵌合開閉部３４ｂの下端より少し下がった位置に位置し、第２上縁部５５４ｃ２は、第２嵌合開閉部３４ｂの上端近傍に位置するように、構成されている。
而して、スライダ４０は、下方に位置する第１上縁部５５２ｃ１及び第１上縁部５５４ｃ１により移動を妨げられることなく、第１上縁部５５２ｃ１及び第１上縁部５５２ｃ１を過ぎて第２上縁部５５２ｃ２及び第２上縁部５５４ｃ２の内側に近い領域に至るまで移動でき、第１嵌合開閉部３４ａと第２嵌合開閉部３４ｂとの嵌合により主開口部２６を略々完全に閉塞できる。
【００３６】
この実施の形態においては、側縁部５５２ｂ及び５５４ｂは、咬合片３４の第１嵌合開閉部３４ａ及び咬合片３４の第２嵌合開閉部３４ｂの左側縁上部近傍に至るように形成され、上縁部５５２ｃの第２上縁部５５２ｃ２及び上縁部５５４ｃの第２上縁部５５４ｃ２は、徐々に下方に下がり、連設辺５５２ａ及び５５４ａに近い領域の上縁部５５２ｃの第２上縁部５５２ｃ２及び上縁部５５４ｃの第２上縁部５５４ｃ２は、側縁部５５２ｂ及び５５４ｂより下方に下がった直線状領域に形成されている。
この側縁部５５２ｂ及び５５４ｂの形状に対応して、第１嵌合開閉部３４ａ及び第２嵌合開閉部３４ｂの左側縁近傍は、切り欠かれて側縁部５５２ｂ及び５５４ｂと溶着する空間を形成しており、第１嵌合開閉部３４ａと第２嵌合開閉部３４ｂとは、表側体５５２の側縁部５５２ｂ及び裏側体５５４の側縁部５５４ｂを挟んだ状態において略接し合い、連結されるように形成されている。
第１シート１４の取り付け部３２ａと第２シート１６の取り付け部３２ｂとは、その右端近傍において、スポット溶着されたストッパ３６ａにより、両者が固着されている。
【００３７】
図２３は、この発明にかかる収納用ケースの開口部を開いた状態を示す斜視図解図であり、図２４は、この発明の収納用ケースの一例を示す斜視図解図であり、図２５は、図２４に示す収納用ケースの断面図解図であり、図２６は、図２３に示す収納用ケースの分解斜視図であり、図２７は、袋状部の製法を示す図解図である。図３７は、図２３図示収納用ケースの右側面図解図である。
収納用ケース１０１０は、平面長方形状の袋状部１０１２を含む。袋状部１０１２は、２枚の別体のシートすなわち第１シート１０１４と第２シート１０１６とによって形成される。
第１シート１０１４，第２シート１０１６は、たとえばポリプロピレンなどのポリオレフィン系合成樹脂シート又は樹脂の糸を編んだ布地によって形成される。第１シート１０１４及び第２シート１０１６は、それぞれ長辺の長さが略同じで、第１シート１０１４の短辺１０１４ｂ，１０１４ｃと第２シート１０１６の短辺１０１６ｂ，１０１６ｃとの長さが略同じ長方形となるように形成される。
そして、第１シート１０１４，第２シート１０１６の一方の長辺１０１４ｄ，１０１６ｄおよび２つの短辺１０１４ｂ，１０１４ｃ，１０１６ｂ，１０１６ｃが対向するように配置されて、後述するように連結される。
第２シート１０１６の他方の長辺側は、第１シート１０１４の一方の長辺１０１４ａと第２シート１０１６の他方の長辺１０１６ａとが対向するように配置される。
それにより、これらの第１シート１０１４の長辺１０１４ａと第２シート１０１６の他方の長辺１０１６ａとの間に、主開口部１０２６が形成される。
【００３８】
第１シート１０１４の長辺１０１４ａと、第２シート１０１６の長辺１０１６ａとが対向する主開口部１０２６には、主ファスナ部１０３０が取り付けられる。
主ファスナ部１０３０は、第１シート１０１４に固着される第１ファスナ部材１０３２Ａと第２シート１０１６に固着される第２ファスナ部材１０３２Ｂとから構成される。
第１ファスナ部材１０３２Ａは、第１シート１０１４への取り付け部１０３２ａを備え、第２ファスナ部１０３２Ｂは、第２シート１０１６への取り付け部１０３２ｂを備える。
そして、取り付け部１０３２ａ，１０３２ｂの間には、開閉部１０３２ｃが構成される。開閉部１０３２ｃは、たとえば咬み合わされることにより閉状態となる複数の咬合片１０３４と、咬合片１０３４上をスライドして咬合片１０３４を開閉させるためのスライダ１０４０とで構成される。
これらの第１ファスナ部材１０３２Ａ，第２ファスナ部材１０３２Ｂ，取り付け部１０３２ａ，１０３２ｂおよび咬合片１０３４、スライダ１０４０などは、ポリプロピレンなどの合成樹脂で形成される。なお、取り付け部１０３２ａ，１０３２ｂが合成樹脂で形成されていれば、咬合片１０３４やスライダ１０４０は金属などの材料で形成されていてもよい。
そして、主ファスナ部１０３０を構成する第１嵌合開閉部１０３４ａに連設された取り付け部１０３２ａが、第１シート１０１４の長辺１０１４ａに溶着され、且つ主ファスナ部１０３０を構成する第２嵌合開閉部１０３４ｂに連設された取り付け部１０３２ｂが第２シート１０１６の長辺１０１６ａに沿って溶着されるとともに、主ファスナ部１０３０の長手方向の右端部が第１シート１０１４と第２シート１０１６との重ね合わせ部分に溶着され、溶着部１０１２ａ，１０１２ａが形成され、第１シート１０１４と第２シート１０１６とが対向する面側に収容空間を構成している。
【００３９】
袋状部１０１２は、第１シート１０１４の左側の短辺１０１４ｂの一部分及び第２シート１０１６の左側の短辺１０１６ｂの一部分と第１襠部材１０６０と連設されて、左側縁部１０２２を形成され、且つ第１シート１０１４の右側の短辺１０１４ｃ全体及び第２シート１０１６の右側の短辺１０１６ｃ全体と第２襠部材１０７０と連設されて、右側縁部１０２４を形成される。
そして、袋状部１０１２は、第１シート１０１４の一方の長辺１０１４ｄ及び第２シート１０１６の他方の長辺１０１６ｄと第３襠部材１０８０と連設されて、底部１０２０を形成される。
【００４０】
第１襠部材１０６０は、略台形状の表側部１０６２と略台形状の裏側部１０６４とを直線状折曲部１０６６により線対称に連設されている。そして、表側部１０６２の表側端縁は、第１シート１０１４の短辺１０１４ｂと連設され、裏側部１０６４の裏側端縁は、第２シート１０１６の短辺１０１６ｂと連設され、且つ、表側部１０６２の底側端縁は、底部１０２０を構成する第３襠部材１０８０の左側端縁と連設され、裏側部１０６４の底側端縁は、底部１０２０を構成する第３襠部材１０８０の左側端縁と連設される。
【００４１】
第１襠部材１０６０は、一定の幅の直線帯状の折曲部１０６６が第１シート１０１４の側縁部たる短辺１０１４ｂ及び第２シート１０１６の側縁部たる短辺１０１６ｂに沿ってのび、第１シート１０１４と第２シート１０１６との間を垂直に二分するように構成され、袋状部１０１２の内側に向けて折り込まれる。
第２襠部材１０７０は、略台形状の表側部１０７２と略台形状の裏側部１０７４とを一定の幅の直線帯状の折曲部１０７６により線対称に連設され、表側部１０７２の表側端縁が第１シート１０１４の短辺１０１４ｃに連設され、裏側部１０７４の裏側端縁が第２シート１０１６の短辺１０１６ｃに連設されている。
第３襠部材１０８０は、略長方形状の表側部１０８２と略長方形状の裏側部１０８４とを一定の幅の直線帯状の折曲部１０８６により線対称に連設され、表側部１０８２の表側端縁が第１シート１０１４の長辺１０１４ｄに連設され、裏側部１０８４の裏側端縁が第２シート１０１６の長辺１０１６ｄに連設されている。
【００４２】
表側部１０６２は、折曲部１０６６から外側に至る上端縁が外側に至るに従ってのぼる直線状に形成され、且つ、裏側部１０６４は、折曲部１０６６から外側に至る上端縁が外側に至るに従ってのぼる直線状に形成され、表側部１０６２と裏側部１０６４とは、折曲部１０６６において連設されて、全体としてその上端縁が中央の１ヶ所（折曲部１０６６の上端）で下がる凹になるＶ字型に形成される。
なお、この実施の形態においては、表側部１０６２は、第１シート１０１４の左端縁に連続し、その左端縁の直線状折り目において、第１シート１０１４の内側に向けて折り曲げることによって形成され、且つ裏側部１０６４は、第２シート１０１６の左端縁に連続し、その左端縁の直線状折り目において第２シート１０１６の内側に向けて折り曲げることによって形成されている。
【００４３】
第１襠部材１０６０の表側部１０６２の下端縁は、第１シート１０１４の下端から折曲部１０６６に至るに従ってのぼる直線状であり、第１襠部材１０６０の裏側部１０６４の下端縁は、第２シート１０１６の下端から折曲部１０６６に至るに従ってのぼる直線状である。
【００４４】
第２襠部材１０７０の表側部１０７２の下端縁は、第１シート１０１４の下端から折曲部１０７６に至るに従ってのぼる直線状であり、第２襠部材１０７０の裏側部１０７４の下端縁は、第２シート１０１６の下端から折曲部１０７６に至るに従ってのぼる直線状である。
【００４５】
第３襠部材１０８０は、表側部１０８２の左側端に突設された三角状突片１０８２ａを備え且つ右側端に突設された三角状突片１０８２ｂを備えるとともに、裏側部１０８４の左側端に突設された三角状突片１０８４ａを備え且つ右側端に突設された三角状突片１０８４ｂを備える。
表側部１０８２の左側端に突設された三角状突片１０８２ａと裏側部１０８４の左側端に突設された三角状突片１０８４ａとは一体に形成され、その境界において直線状折曲部１０８６ａが形成されている。
また、表側部１０８２の右側端に突設された三角状突片１０８２ｂと裏側部１０８４の左側端に突設された三角状突片１０８４ｂとは一体に形成され、その境界において直線状折曲部１０８６ｂが形成されている。
表側部１０８２は、三角状突片１０８２ａの直線状上端縁において、第１襠部材１０６０の表側部１０６２の直線状下端縁と、一定の幅を有する直線帯状に溶着され、且つ、裏側部１０８４は、三角状突片１０８４ａの直線状上端縁において、第１襠部材１０６０の裏側部１０６４の直線状下端縁と、一定の幅を有する直線帯状に溶着されている。
表側部１０８２は、三角状突片１０８２ｂの直線状上端縁において、第２襠部材１０７０の表側部１０７２の直線状下端縁と、一定の幅を有する直線帯状に溶着され、且つ、裏側部１０８４は、三角状突片１０８４ｂの直線状上端縁において、第２襠部材１０７０の裏側部１０７４の直線状下端縁と、一定の幅を有する直線帯状に溶着されている。
【００４６】
そして、主開口部１０２６ののびる方向に移動するスライダ１０４０をスライド移動させることにより、袋状部１０１２の主開口部１０２６が開閉する。
【００４７】
前記袋状部１０１２は、主開口部１０２６に交差する一方の側縁部である左側縁部１０２２を構成する第１シート１０１４の左側の短辺１０１４ｂ及び第２シート１０１６の左側の短辺１０１６ｂにおいて、底部１０２０に近い領域が第１襠部材１０６０に連結された第１襠状側縁部１０２２ａと、主開口部１０２６に近い領域が前記主開口部１０２６に連続して拡開するように第１シート１０１４と第２シート１０１６とが別体のまま分離した拡開補助開口部１０２８とを有する。
【００４８】
前記袋状部１０１２は、主開口部１０２６に交差する一方の側縁部（この実施の形態においては、左側縁部１０２２）において、第１シート１０１４及び第２シート１０１６の底部１０２０に近い領域において第１シート１０１４及び第２シート１０１６と第１襠部材１０６０とが連設された第１襠状側縁部１０２２ａと、主開口部１０２６に近い領域が前記主開口部１０２６に連続して拡開するように第１シート１０１４及び第２シート１０１６と主ファスナ部１０３０の第１ファスナ部材１０３２Ａ及び第２ファスナ部材１０３２Ｂとが分離した拡開補助開口部１０２８とを有するとともに、主開口部１０２６に交差する他方の側縁部において、第１シート１０１４及び第２シート１０１６の底部１０２０から主ファスナ部１０３０に至る領域において第１シート１０１４及び第２シート１０１６と第２襠部材１０７０とが連設された第２襠状側縁部を構成する右側縁部１０２４を有する。
【００４９】
前記拡開補助開口部１０２８は、第１シート１０１４の左側縁部１０２２とそれに対向する第２シート１０１６の左側縁部１０２２とを連結するための拡開補助部材１０５０が介装され、拡開補助部材１０５０を第１シート１０１４及び第２シート１０１６と主ファスナ部１０３０の第１ファスナ部材１０３２Ａ及び第２ファスナ部材１０３２Ｂとの間に挟んだ状態にするとともに、主ファスナ部１０３０と協働させて袋状部１０１２の開口領域を閉塞することができるように構成されている。
主ファスナ部１０３０は、主開口部１０２６ののびる方向にのび、主開口部１０２６ののびる方向に移動するスライダ１０４０により、開閉させられるが、拡開補助開口部１０２８は、閉じられた主開口部１０２６を開くためにスライダ１０４０を移動するときに開き始める開始端である左側縁部１０２２側に形成され、主開口部１０２６と拡開補助開口部１０２８とは、一体的に開口するように形成されている。
拡開補助部材１０５０は、第１シート１０１４及び第１ファスナ部材１０３２Ａと第２シート１０１６及び第２ファスナ部材１０３２Ｂとの間に形成された拡開補助開口部１０２８において、第１シート１０１４と第２シート１０１６との間に跨るように連設されるとともに第１ファスナ部材１０３２Ａの取り付け部１０３２ａと第２ファスナ部材１０３２Ｂとの間に跨るように連設され、第１シート１０１４と第２シート１０１６とを連結し且つ第１ファスナ部材１０３２Ａと第２ファスナ部材１０３２Ｂとを連結して、拡開補助開口部１０２８を開閉できるように形成されている。
【００５０】
拡開補助開口部１０２８を開閉するための拡開補助部材１０５０は、第１シート１０１４の左側縁部１０２２の近傍に付着された表側体１０５２と第２シート１０１６の左側縁部１０２２の近傍に付着された裏側体１０５４とから構成されている。
表側体１０５２は、第１シート１０１４及び第２シート１０１６と同質の弾力性を有する合成樹脂シートで形成されており、裏側体１０５４は、第１シート１０１４及び第２シート１０１６と同質の弾力性を有する合成樹脂で形成されている。
拡開補助部材１０５０を構成する表側体１０５２と裏側体１０５４とは、正面視略四辺形（略台形）であり、前記表側体１０５２の連設辺１０５２ａと裏側体の連設辺１０５４ａで線対称になるように連設されている。
そして、表側体１０５２の第１側縁部１０５２ｂの内側と表側部１０６２の上端縁の内側とが一定の幅を有する直線帯状に溶着して連結され且つ裏側体１０５４の第１側縁部１０５２ｂの内側と裏側部１０６４の上端縁の内側とが一定の幅を有する直線帯状に溶着して連結されるとともに、表側体１０５２の第２側縁部１０５２ｄの内側と第１シート１０１４の上端縁の内側面及び第１ファスナ部材１０３２Ａの取り付け部１０３２ａの内側面とが連結され且つ裏側体１０５４の第２側縁部１０５４ｄの内側と第２シート１０１６の上端縁の内側面及び第２ファスナ部材１０３２Ｂの取り付け部１０３２ｂの内側面とが連結されている。そして、前記連続した連設辺１０５２ａと連設辺１０５４ａとは、左側から見て谷折りに折り曲げられて、第１シート１０１４と第２シート１０１６の内面の間に挟まれるように形成されている。
拡開補助部材１０５０は、表側体１０５２と裏側体１０５４が、拡開補助部材１０５０を第１シート１０１４と第２シート１０１６の内面の間に挟んだ状態において、前記主ファスナ部１０３０と協働させて、袋状部１０１２の開口領域を閉塞することができるように構成されている。
【００５１】
この実施の形態においては、拡開補助部材１０５０は、第１シート１０１４及び第２シート１０１６の拡開補助開口部１０２８において、その一方端縁が第１シート１０１４の内面及び第１ファスナ部材１０３２Ａの取り付け部１０３２ａに連結され且つその他方端縁が第２シート１０１６の内面及び第２ファスナ部材１０３２Ｂの取り付け部１０３２ｂに連結され、表側体１０５２と裏側体１０５４とは、表側体１０５２の内表と裏側体１０５４の内表とを外側になるように且つ表側体１０５２の内側端縁たる連設辺１０５２ａと裏側体１０５４の内側端縁たる連設辺１０５４ａとが一体的に連設され内側に折り込まれている。
拡開補助部材１０５０の表側体１０５２は、上縁部１０５２ｃと、上縁部１０５２ｃに続く第２側縁部１０５２ｄと、第２側縁部１０５２ｄの下方に続く第１側縁部１０５２ｂとを備え、拡開補助部材１０５０の裏側体１０５４は、上縁部１０５４ｃと、上縁部１０５４ｃに続く第２側縁部１０５４ｄと、第２側縁部１０５４ｄの下方に続く第１側縁部１０５４ｂとを備える。
【００５２】
拡開補助部材１０５０は、表側体１０５２の第１側縁部１０５２ｂにおいて第１襠部材１０６０の表側部１０６２の上端縁と溶着され、裏側体１０５４の第２側縁部１０５４ｂにおいて第１襠部材１０６０の裏側部１０６４の上端縁と溶着されている。
拡開補助部材１０５０は、全体的にみれば下方にさがるに従ってその幅が狭くなり、１ヶ所で下が凸になるＶ字型であり、それに対応して第１襠部材１０６０の上縁は、全体的にみれば上方にのぼるに従ってその幅が広くなり、中央の１ヶ所で下がる凹になるＶ字型であり、拡開補助部材１０５０と第１襠部材１０６０との連結部は各々合致する形状に形成されている。
また、拡開補助部材１０５０の第１側縁部１０５２ｂ及び第１襠部材１０６０の表側部１０６２は、一定の幅を有する直線帯状で各々外側に向けて折り曲げられ、且つ拡開補助部材１０５０の裏側体１０５４の第１側縁部１０５４ｂ及び第１襠部材１０６０の裏側部１０６４は、一定の幅を有する直線帯状で各々外側に向けて折り曲げられ、それぞれの外側に突き出た端縁の溶着代をもって溶着されて連結されている。
【００５３】
拡開補助部材１０５０は、表側体１０５２の一定の幅を有する直線帯状の第２側縁部１０５２ｄにおいて第１ファスナ部材１０３２Ａの取り付け部１０３２ａに溶着されるとともに、裏側体１０５４の一定の幅を有する直線帯状の第２側縁部１０５４ｄにおいて第２ファスナ部材１０３２Ｂの取り付け部１０３２ｂに溶着されている。
而して、拡開補助部材１０５０は、常時は第１シート１０１４と第２シート１０１６の内側方向に向けて折れ曲がっており、外側に向けて突き出ることは殆んどない。
【００５４】
表側体１０５２の上縁部１０５２ｃ及び裏側体１０５４の上縁部１０５４ｃは、後述するように、側縁部１０５２ｂから連設辺１０５２ａ及び側縁部１０５４ｂから連設辺１０５４ａに至るに従って、上方にあがる傾斜縁に形成されてもよい。
そして、拡開補助部材１０５０は、表側体１０５２と裏側体１０５４とを折り畳み自在に連結され、折り畳んだ連結筋目たる連設辺１０５２ａ及び１０５４ａを常時は内側に折り畳まれている。
表側体１０５２の上縁部１０５２ｃ及び裏側体１０５４の上縁部１０５４ｃが、後述するように、左側縁部１０２２から右側縁部１０２４に至るに従って下方に下がっていれば、スライダ１０４０を左側縁部１０２２側に近い位置まで移動させて、主ファスナ部１０３０を完全に閉じることができるように、構成できる。
【００５５】
次に、図２３図示実施の形態の主として袋状部の製法について、図２７ないし３０に基づいて説明する。
袋状部１０１２を構成する第１シート１０１４の左側の短辺１０１４ｂの一部分及び第２シート１０１６の左側の短辺１０１６ｂの一部分と第１襠部材１０６０と連設され、且つ第１シート１０１４の右側の短辺１０１４ｃ全体及び第２シート１０１６の右側の短辺１０１６ｃ全体と第２襠部材１０７０と連設され、第１シート１０１４の一方の長辺１０１４ｄ及び第２シート１０１６の他方の長辺１０１６ｄと第３襠部材１０８０と連設された、袋状部素材を準備する。
そして、該袋状部素材は、主ファスナ部１０３０の取り付け部１０３２ａが、第１シート１０１４の長辺１０１４ａに溶着され、且つ取り付け部１０３２ｂが第２シート１０１６の長辺１０１６ａに沿って溶着されて、溶着部１０１２ａ，１０１２ａが形成され、第１シート１０１４と第２シート１０１６とが対向する面側に収容空間を構成するように形成されている。
【００５６】
第１襠部材１０６０は、略台形状の表側部１０６２と略台形状の裏側部１０６４とを直線状折曲部１０６６により線対称に連設されている。そして、表側部１０６２の表側端縁は、第１シート１０１４の短辺１０１４ｂと連設され、裏側部１０６４の裏側端縁は、第２シート１０１６の短辺１０１６ｂと連設され、且つ、表側部１０６２の底側端縁は、底部１０２０を構成する第３襠部材１０８０の左側端縁と連設され、裏側部１０６４の底側端縁は、底部１０２０を構成する第３襠部材１０８０の左側端縁と連設されている。
【００５７】
第１襠部材１０６０は、直線状の折曲部１０６６が第１シート１０１４の側縁部たる短辺１０１４ｂ及び第２シート１０１６の側縁部たる短辺１０１６ｂに沿ってのび、第１シート１０１４と第２シート１０１６との間を垂直に二分するように構成されており、第１シート１０１４及び第２シート１０１６の内側に向けて折り込む。
第２襠部材１０７０は、表側部１０７２と裏側部１０７４とを直線状の折曲部１０７６により線対称に連設されており、表側部１０７２の表側端縁が第１シート１０１４の短辺１０１４ｃに連設され、裏側部１０７４の裏側端縁が第２シート１０１６の短辺１０１６ｃに連設されている。
第３襠部材１０８０は、表側部１０８２と裏側部１０８４とを直線状の折曲部１０８６により線対称に連設され、表側部１０８２の表側端縁が第１シート１０１４の長辺１０１４ｄに連設され、裏側部１０８４の裏側端縁が第２シート１０１６の長辺１０１６ｄに連設されている。
【００５８】
第１襠部材１０６０は、表側部１０６２が、折曲部１０６６から外側に至る上端縁を外側に至るに従ってのぼる直線状に形成され、且つ、裏側部１０６４が、折曲部１０６６から外側に至る上端縁を外側に至るに従ってのぼる直線状に形成され、表側部１０６２と裏側部１０６４とは、折曲部１０６６において連設されて、全体としてその上端縁が中央の１ヶ所（折曲部１０６６の上端）で下がる凹になるＶ字型に形成されている。
そこで、第１シート１０１４の左端縁に連続した表側部１０６２の形成片をその左端縁の直線状折り目において、第１シート１０１４の内側に向けて折り曲げることによって、表側部１０６２を形成し、且つ、第２シート１０１６の左端縁に連続した裏側部１０６４の形成片を左端縁の直線状折り目において第２シート１０１６の内側に向けて折り曲げることによって、裏側部１０６４を形成する。
【００５９】
第１襠部材１０６０の表側部１０６２の下端縁は、第１シート１０１４の下端から折曲部１０６６に至るに従ってのぼる直線状であり、第１襠部材１０６０の裏側部１０６４の下端縁は、第２シート１０１６の下端から折曲部１０６６に至るに従ってのぼる直線状である。
第３襠部材１０８０は、表側部１０８２の左側端に突設された三角状突片１０８２ａを備え且つ右側端に突設された三角状突片１０８２ｂを備えるとともに、裏側部１０８４の左側端に突設された三角状突片１０８４ａを備え且つ右側端に突設された三角状突片１０８４ｂを備えている。
表側部１０８２の左側端に突設された三角状突片１０８２ａと裏側部１０８４の左側端に突設された三角状突片１０８４ａとは一体に形成され、その境界において直線状折曲部１０８６ａが形成されている。
また、表側部１０８２の右側端に突設された三角状突片１０８２ｂと裏側部１０８４の左側端に突設された三角状突片１０８４ｂとは一体に形成され、その境界において直線状折曲部１０８６ｂが形成されている。
そこで、表側部１０８２は、三角状突片１０８２ａの直線状上端縁において、第１襠部材１０６０の表側部１０６２の直線状下端縁と溶着して、表側部１０６２と第３襠部材１０８０とを連結し、且つ、三角状突片１０８４ａの直線状上端縁において、第１襠部材１０６０の裏側部１０６４の直線状下端縁と溶着し、裏側部１０６４と第３襠部材１０８０とを連結する。
【００６０】
第２襠部材１０７０の表側部１０７２の下端縁は、第１シート１０１４の下端から折曲部１０７６に至るに従ってのぼる直線状であり、第２襠部材１０７０の裏側部１０７４の下端縁は、第２シート１０１６の下端から折曲部１０７６に至るに従ってのぼる直線状である。
第３襠部材１０８０の表側部１０８２は、三角状突片１０８２ｂの直線状上端縁において、第２襠部材１０７０の表側部１０７２の直線状下端縁と溶着して、第２襠部材１０７０の表側部１０７２と第３襠部材１０８０とを連結し、且つ、第３襠部材１０８０の裏側部１０８４は、三角状突片１０８４ｂの直線状上端縁において、第２襠部材１０７０の裏側部１０７４の直線状下端縁と溶着し、第２襠部材１０７０の裏側部１０７４と第３襠部材１０８０とを連結する。
【００６１】
次に、拡開補助部材１０５０を、表側体１０５２の第１側縁部１０５２ｂにおいて第１襠部材１０６０の表側部１０６２の上端縁と溶着し、裏側体１０５４の第２側縁部１０５４ｂにおいて第１襠部材１０６０の裏側部１０６４の上端縁と溶着するために、第１襠部材１０６０を成形する。
拡開補助部材１０５０は、全体的にみれば下方にさがるに従ってその幅が狭くなり、１ヶ所で下が凸になるＶ字型であり、それに対応して第１襠部材１０６０の上縁は、全体的にみれば上方にのぼるに従ってその幅が広くなり、中央の１ヶ所で下がる凹になるＶ字型であり、拡開補助部材１０５０と第１襠部材１０６０との連結部は各々合致する形状に形成されている。
そこで、第１襠部材１０６０は、第１シート１０１４を、適宜切断して、中央に向かう従って下がる傾斜した上縁を形成し、且つ、第２シート１０１６を、適宜切断して、中央に向かう従って下がる傾斜した上縁を形成する（図２９参照）。
そして、拡開補助部材１０５０の側縁部１０５２ｂ及び第１襠部材１０６０の表側部１０６２を、各々外側に向けて折り曲げ、且つ拡開補助部材１０５０の裏側体１０５４の側縁部１０５４ｂ及び第１襠部材１０６０の裏側部１０６４を、各々外側に向けて折り曲げ、それぞれの外側に突き出た端縁の溶着代をもって溶着して連結する（図３０参照）。
【００６２】
そして、第１襠部材１０６０及び第２襠部材１０７０を袋状部１０１２の内側に向けて折り畳んだ状態にする。
【００６３】
また、拡開補助部材１０５０は、図３１ないし図３７図示実施の形態のように変更してもよい。
図３１ないし図３６図示実施の形態の収納用ケースは、図２３図示収納用ケースと比して、主として拡開補助部が変更されている。従って、以下拡開補助部を中心に説明する。なお、以下の説明においては、図２３図示収納用ケースと略々同じ構成については、同じ符号を付し、説明を省略又は簡略にしている。
【００６４】
この実施の形態の拡開補助部１５５０は、表側体１５５２の上縁部１５５２ｃ及び裏側体１５５４の上縁部１５５４ｃが、連設辺１５５２ａ及び１５５４ａに近い領域の第１上縁部１５５２ｃ１及び第１上縁部１５５４ｃ１を、側縁部１５５２ｂ及び１５５４ｂに近い領域の第２上縁部１５５２ｃ２及び第２上縁部１５５４ｃ２と比して、下方に下がった直線状に形成している。
而して、一方の上縁部１５５２ｃの連設辺１５５２ａに近い領域の第１上縁部１５５２ｃ１は、表側体１５５２を構成する第１シート１０１４側の取り付け部１０３２ａの第１嵌合開閉部１０３４ａの下端より少し下がった位置に位置し、第２上縁部１５５２ｃ２は、第１嵌合開閉部１０３４ａの上端近傍に位置するように、構成されている。
また、他方の上縁部１５５４ｃの連設辺１５５４ａに近い領域の第１上縁部１５５４ｃ１は、裏側体１５５４を構成する第２シート１０１６側の取り付け部１０３２ｂの第２嵌合開閉部１０３４ｂの下端より少し下がった位置に位置し、第２上縁部１５５４ｃ２は、第２嵌合開閉部１０３４ｂの上端近傍に位置するように、構成されている。
而して、スライダ１０４０は、下方に位置する第１上縁部１５５２ｃ１及び第１上縁部１５５４ｃ１により移動を妨げられることなく、第１上縁部１５５２ｃ１及び第１上縁部１５５２ｃ１を過ぎて第２上縁部１５５２ｃ２及び第２上縁部１５５４ｃ２の内側に近い領域に至るまで移動でき、第１嵌合開閉部１０３４ａと第２嵌合開閉部１０３４ｂとの嵌合により主開口部１０２６を略々完全に閉塞できる。
【００６５】
この実施の形態においては、表側体１０５２の第２側縁部１０５２ｄにおいて第１ファスナ部材１０３２Ａの第１嵌合開閉部１０３４ａに溶着されるとともに裏側体１０５４の第２側縁部１０５４ｄにおいて第２ファスナ部材１０３２Ｂの第２嵌合開閉部１０３４ｂに溶着され、側縁部１５５２ｂ及び１５５４ｂは、咬合片１０３４の第１嵌合開閉部１０３４ａ及び咬合片１０３４の第２嵌合開閉部１０３４ｂの左側縁上部近傍に至るように形成されている。そして、上縁部１５５２ｃの第２上縁部１５５２ｃ２及び上縁部１５５４ｃの第２上縁部１５５４ｃ２は、徐々に下方に下がり、連設辺１５５２ａ及び１５５４ａに近い領域の上縁部１５５２ｃの第２上縁部１５５２ｃ２及び上縁部１５５４ｃの第２上縁部１５５４ｃ２は、側縁部１５５２ｂ及び１５５４ｂより下方に下がった直線状領域に形成されている。
この第２側縁部１０５２ｄ及び第２側縁部１０５４ｄの形状に対応して、第１嵌合開閉部１０３４ａ及び第２嵌合開閉部１０３４ｂの左側縁近傍は、切り欠かれて側縁部１５５２ｂ及び１５５４ｂと溶着する空間を形成しており、第１嵌合開閉部１０３４ａと第２嵌合開閉部１０３４ｂとは、表側体１５５２の側縁部１５５２ｂ及び裏側体１５５４の側縁部１５５４ｂを挟んだ状態において略接し合い、連結されるように形成されている。
表側体１０５２の第１側縁部１０５２ｂは、第１襠部材１０６０の表側部１０６２の上縁部と溶着され、裏側体１０５４の第１側縁部１０５４ｂは、第１襠部材１０６０の裏側部１０６４の上縁部と溶着されている。
【００６６】
図２３図示収納用ケースは、従来の例えば実用新案登録第２５１６９１７号公報（前記背景技術において説明した特許文献２）に記載されたファスナーケースとは異なり、拡開補助部材１０５０が表側体１０５２と裏側体１０５４とに分かれており、且つ、連結筋目である表側体１０５２の連設辺１０５２ａ及び裏側体１０５４の連設辺１０５４ａが常時は内側に折り畳まれており、外側に向けて突き出るおそれはない。
それゆえに、この実施の形態の収納用ケースは、比較的広く開口部を形成することができるとともに、拡開補助部材１０５０の領域から不用意に収納用物がこぼれ落ちることがない。
【図面の簡単な説明】
【００６７】
【図１】この発明にかかる収納用ケースの開口部を開いた状態を示す斜視図解図である。
【図２】この発明の収納用ケースの一例を示す斜視図解図である。
【図３】図２に示す収納用ケースの断面図解図である。
【図４】図１に示す収納用ケースの分解斜視図である。
【図５】拡開補助部と第１シート及び第２シートとの連結構造を示す断面斜視図解図である。
【図６】拡開補助部と第１シート及び第２シートとの連結構造を示す断面斜視図解図である。
【図７】拡開補助部と第１シート及び第２シートとの連結構造を示す断面斜視図解図である。
【図８】拡開補助部と第１シート及び第２シートとの連結構造を示す断面斜視図解図である。
【図９】拡開補助部の他の例を示す図解図であり、（Ａ）は分解斜視図解図であり、（Ｂ）は正面図解図である。
【図１０】拡開補助部の他の例を示す図解図であり、（Ａ）は分解斜視図解図であり、（Ｂ）は正面図解図である。
【図１１】拡開補助部の他の例を示す図解図であり、（Ａ）は分解斜視図解図であり、（Ｂ）は正面図解図である。
【図１２】この発明にかかる別の収納用ケースの開口部を開いた状態を示す斜視図解図である。
【図１３】この発明の収納用ケースの一例を示す斜視図解図である。
【図１４】図１３に示す収納用ケースの断面図解図である。
【図１５】図１２に示す収納用ケースの分解斜視図である。
【図１６】拡開補助部と第１シート及び第２シートとの連結構造を示す断面斜視図解図である。
【図１７】この発明にかかる収納用ケースの開口部を開いた状態を示す斜視図解図である。
【図１８】この発明の収納用ケースの一例を示す斜視図解図である。
【図１９】図１８に示す収納用ケースの断面図解図であり、（Ａ）は図１８Ａ矢視断面図解図であり、（Ｂ）は図１８Ｂ矢視断面図解図である。
【図２０】図１７に示す収納用ケースの分解斜視図である。
【図２１】図１７に示す収納用ケースの分解斜視図である。
【図２２】図１７に示す収納用ケースの要部の正面図解図である。
【図２３】この発明にかかる収納用ケースの開口部を開いた状態を示す斜視図解図である。
【図２４】この発明の収納用ケースの一例を示す斜視図解図である。
【図２５】図２４に示す収納用ケースの断面図解図である。
【図２６】図２３に示す収納用ケースの分解斜視図である。
【図２７】袋状部の製法を示す図解図である。
【図２８】袋状部を構成する部材を展開した状態を示す平面図解図である。
【図２９】襠部材と拡開補助部材との固着方法を示す斜視図解図である。
【図３０】襠部材と拡開補助部材との固着方法を示す斜視図解図である。
【図３１】この発明にかかる収納用ケースの開口部を開いた状態を示す斜視図解図である。
【図３２】この発明の収納用ケースの一例を示す斜視図解図である。
【図３３】図３２に示す収納用ケースの断面図解図であり、（Ａ）は図３２Ａ矢視断面図解図であり、（Ｂ）は図３２Ｂ矢視断面図解図である。
【図３４】図３１に示す収納用ケースの分解斜視図である。
【図３５】図３１に示す収納用ケースの分解斜視図である。
【図３６】図３１に示す収納用ケースの要部の正面図解図である。
【図３７】図２３及び図３１図示収納用ケースの右側面図解図である。
【符号の説明】
【００６８】
１０，１１０，４１０  収納用ケース
１２，１１２，４１２  袋状部
１２ａ，１２ｂ，１２ｃ，１２ｄ，４１２ａ，４１２ｂ，４１２ｃ，４１２ｄ  溶着部
１４，１１４，２１４，３１４，４１４  第１シート
１６，１１６，２１６，３１６，４１６  第２シート
１４ａ，１６ａ，１４ｄ，１６ｄ，１１４ａ，１１６ａ，１１４ｄ，１１６ｄ，４１４ａ，４１６ａ，４１４ｄ，４１６ｄ  長辺
１４ｂ，１６ｂ，１４ｃ，１６ｃ，１１４ｂ，１１６ｂ，１１４ｃ，１１６ｃ，２１４ｂ，２１６ｂ，３１４ｂ，３１６ｂ，４１４ｂ，４１６ｂ，４１４ｃ，４１６ｃ  短辺
２０，１２０，４２０  底部
２２，１２２，４２２  左側縁部
２２ａ，４２２ａ  第１袋状側縁部
２４，１２４，４２４  右側縁部
４２４ａ  第２袋状側縁部
２６，１２６，４２６  主開口部
２８，１２８  拡開補助開口部
４２８Ａ  第１拡開補助開口部
４２８Ｂ  第２拡開補助開口部
３０，１３０，４３０  主ファスナ部
１３２ａ，１３２ｂ  ファスナ用シート部材
３２ａ，３２ｂ，４３２ａ，４３２ｂ  取り付け部
３２ｃ，４３２ｃ  開閉部
３４，４３４  咬合片
３４ａ  第１嵌合開閉部
３４ｂ  第２嵌合開閉部
１３４ａ，１３４ｂ  嵌合開閉部
３６ａ  ストッパ
４０，１４０，４４０  スライダ
４４０Ａ  第１スライダ
４４０Ｂ  第２スライダ
５０，１５０，２５０，３５０，５５０，１５５０  拡開補助部
４５０Ａ  第１拡開補助部
４５０Ｂ  第２拡開補助部
５２，１５２，２５２，３５２，４５２，５５２，１５５２  表側体
４５２Ａ  第１表側体
４５２Ｂ  第２表側体
５４，１５４，２５４，３５４，４５４，５５４，１５５４  裏側体
４５４Ａ  第１裏側体
４５４Ｂ  第２裏側体
５２ａ，５４ａ，１５２ａ，１５４ａ，２５２ａ，２５４ａ，３５２ａ，３５４ａ，４５２ａ，４５４ａ，４５６ａ，４５８ａ，５５２ａ，５５４ａ，１５５２ａ，１５５４ａ  連設辺
５２ｂ，５４ｂ，１５２ｂ，１５４ｂ，２５２ｂ，２５４ｂ，３５２ｂ，３５４ｂ，４５２ｂ，４５４ｂ，４５６ｂ，４５８ｂ，５５２ｂ，５５４ｂ，１５５２ｂ，１５５４ｂ  側縁部
５２ｃ，５４ｃ，４５２ｃ，４５４ｃ，４５６ｃ，４５８ｃ，５５２ｃ，５５４ｃ，１５５２ｃ，１５５４ｃ  上縁部
５５２ｃ１，５５４ｃ１，１５５２ｃ１，１５５４ｃ１  第１上縁部
５５２ｃ２，５５４ｃ２，１５５２ｃ２，１５５４ｃ２  第２上縁部
１０１０  収納用ケース
１０１２  袋状部
１０１２ａ  溶着部
１０１４  第１シート
１０１４ｂ，１０１４ｃ，１０１６ｂ，１０１６ｃ  短辺
１０１６  第２シート
１０１４ａ，１０１６ａ，１０１４ｄ，１０１６ｄ  長辺
１０２０  底部
１０２２  左側縁部
１０２２ａ  第１襠状側縁部
１０２４  右側縁部
１０２６  主開口部
１０２８  拡開補助開口部
１０３０  主ファスナ部
１０３２Ａ  第１ファスナ部材
１０３２Ｂ  第２ファスナ部材
１０３２ａ，１０３２ｂ  取り付け部
１０３２ｃ  開閉部
１０３４  咬合片
１０３４ａ  第１嵌合開閉部
１０３４ｂ  第２嵌合開閉部
１０４０  スライダ
１０５０  拡開補助部材
１０５２  表側体
１０５２ａ，１０５４ａ  連設辺
１０５２ｂ  第１側縁部
１０５２ｃ  上縁部
１０５２ｄ  第２側縁部
１０５４  裏側体
１０５４ａ  連設辺
１０５４ｂ  第１側縁部
１０５４ｃ  上縁部
１０５４ｄ  第２側縁部
１０６０  第１襠部材
１０６２  表側部
１０６４  裏側部
１０６６  折曲部
１０７０  第２襠部材
１０７２  表側部
１０７４  裏側部
１０７６  折曲部
１０８０  第３襠部材
１０８２  表側部
１０８２ａ，１０８２ｂ  三角状突片
１０８４  裏側部
１０８４ａ，１０８４ｂ  三角状突片
１０８６  折曲部
１０８６ａ  直線状折曲部
１０８６ｂ  直線状折曲部
【図１】
2010018346.tif 000003
【図２】
2010018346.tif 000004
【図３】
2010018346.tif 000005
【図４】
2010018346.tif 000006
【図５】
2010018346.tif 000007
【図６】
2010018346.tif 000008
【図７】
2010018346.tif 000009
【図８】
2010018346.tif 000010
【図９】
2010018346.tif 000011
【図１０】
2010018346.tif 000012
【図１１】
2010018346.tif 000013
【図１２】
2010018346.tif 000014
【図１３】
2010018346.tif 000015
【図１４】
2010018346.tif 000016
【図１５】
2010018346.tif 000017
【図１６】
2010018346.tif 000018
【図１７】
2010018346.tif 000019
【図１８】
2010018346.tif 000020
【図１９】
2010018346.tif 000021
【図２０】
2010018346.tif 000022
【図２１】
2010018346.tif 000023
【図２２】
2010018346.tif 000024
【図２３】
2010018346.tif 000025
【図２４】
2010018346.tif 000026
【図２５】
2010018346.tif 000027
【図２６】
2010018346.tif 000028
【図２７】
2010018346.tif 000029
【図２８】
2010018346.tif 000030
【図２９】
2010018346.tif 000031
【図３０】
2010018346.tif 000032
【図３１】
2010018346.tif 000033
【図３２】
2010018346.tif 000034
【図３３】
2010018346.tif 000035
【図３４】
2010018346.tif 000036
【図３５】
2010018346.tif 000037
【図３６】
2010018346.tif 000038
【図３７】
2010018346.tif 000039